【手続補正書】
【提出日】平成16年6月30日(2004.6.30)
【手続補正１】
【補正対象書類名】明細書
【補正対象項目名】発明の名称
【補正方法】変更
【補正の内容】
【発明の名称】誘導加熱装置、定着装置およびフルカラー画像形成装置
【手続補正２】
【補正対象書類名】明細書
【補正対象項目名】特許請求の範囲
【補正方法】変更
【補正の内容】
【特許請求の範囲】
【請求項１】
第１の方向にのびる直線状部分と該直線状部分の端部同志を連結する連結部分とからなる誘導コイルが第１の方向と交差する第２の方向に複数組設けられて互いに直列に接続されたコイルユニットを備えていることを特徴とする誘導加熱装置。
【請求項２】
前記複数の誘導コイルが第２の方向に所定の間隔をおいて配列されていることを特徴とする請求項１の誘導加熱装置。
【請求項３】
前記複数の誘導コイルが第２の方向に近接して配列されていることを特徴とする請求項１の誘導加熱装置。
【請求項４】
変動磁場中で発熱する導電層を有し幅方向と直交する方向に移動している被加熱材を加熱するための加熱部材と、前記加熱部材の外部に配設され前記加熱部材を発熱させるための磁界発生手段とを備えている誘導加熱装置において、
前記磁界発生手段が、互いに直列に接続された複数の磁界発生部より構成されていることを特徴とする誘導加熱装置。
【請求項５】
前記各磁界発生部が、前記被加熱材の幅方向にのびる直線状部分と該直線状部分の端部同志を連結する連結部分とからなる誘導コイルであり、これら複数の誘導コイルが前記被加熱材の移動方向に対応する方向に配列されていることを特徴とする請求項４の誘導加熱装置。
【請求項６】
前記複数の誘導コイルが前記被加熱材の移動方向に対応する方向に所定の間隔をおいて配列されていることを特徴とする請求項５の誘導加熱装置。
【請求項７】
前記複数の誘導コイルが、前記被加熱材の移動方向に対応する方向に近接して配列されていることを特徴とする請求項５の誘導加熱装置。
【請求項８】
前記加熱部材が加熱ローラよりなり、前記磁界発生手段が該加熱ローラの外周に沿うように配列されていることを特徴とする請求項４〜７のいずれか１項の誘導加熱装置。
【請求項９】
前記加熱部材が複数のローラの間に巻きかけられた無端状加熱ベルトよりなり、前記磁界発生手段が該加熱ベルトの外周に沿うように配列されていることを特徴とする請求項４〜７のいずれか１項の誘導加熱装置。
【請求項１０】
前記ローラの少なくとも１つが、変動磁場中で発熱する導電層を有するものであり、前記磁界発生手段の一部が導電層を有するローラに巻きかけられた前記ベルトの外周に沿うように配列されていることを特徴とする請求項９の誘導加熱装置。
【請求項１１】
前記複数のローラが、互いに近接して配列された２つのローラであり、これら各ローラが、変動磁場中で発熱する導電層を有するものであり、前記磁界発生手段が、前記２つのローラに巻きかけられた部分とこれらの間の部分との外周に沿うように配列されていることを特徴とする請求項９の誘導加熱装置。
【請求項１２】
さらに前記加熱部材の熱を前記被加熱材に伝えるために前記被加熱材を前記加熱部材に押圧する加圧手段を備えていることを特徴とする請求項４〜１１のいずれか１項の誘導加熱装置。
【請求項１３】
互いに近接して配列された第１のローラおよび第２のローラと、これらのローラに巻き回されて所定の張力が加えられている無端状加熱ベルトと、前記第１のローラに巻きかけられた前記加熱ベルトの部分に圧接してニップ部を形成する加圧手段と、少なくとも前記２つのローラに巻きかけられた前記加熱ベルトの部分の外周に沿うように配列され前記加熱ベルトを加熱するための磁界発生手段とを備えていることを特徴とする誘導加熱装置。
【請求項１４】
互いに近接して配列された第１のローラおよび第２のローラと、これらのローラに巻き回されて所定の張力が加えられている無端状加熱ベルトと、前記第１のローラに巻きかけられた前記加熱ベルトの部分に圧接してニップ部を形成する加圧手段と、前記２つのローラに巻きかけられた前記加熱ベルトの部分とこれらの間の加熱ベルトの部分の外周に沿うように配列され前記加熱ベルトを加熱するための磁界発生手段とを備えていることを特徴とする誘導加熱装置。
【請求項１５】
前記加熱ベルトは、変動磁場中で発熱する少なくとも１層の導電層を有し、表面に離型層が形成されているものであることを特徴とする請求項１３または１４の誘導加熱装置。
【請求項１６】
前記２つのローラは、変動磁場中で発熱する導電層を表面に有するものであることを特徴とする請求項１３または１４の誘導加熱装置。
【請求項１７】
請求項１３〜１６のいずれか１項の誘導加熱装置を備えていることを特徴とする定着装置。
【請求項１８】
請求項１７の定着装置を備えていることを特徴とする画像形成装置。
【請求項１９】
記録用紙に４色のフルカラートナー可視像を形成する４色の可視像形成ユニットと、前記４色のフルカラートナー可視像を前記記録用紙に定着する定着装置とを備えており、
前記定着装置が、互いに近接して配列された第１のローラおよび第２のローラと、これらのローラに巻き回されて所定の張力が加えられている無端状加熱ベルトと、前記第１のローラに巻きかけられた前記加熱ベルトの部分に圧接してニップ部を形成する加圧手段と、少なくとも前記第２のローラに巻きかけられた前記加熱ベルトの部分の外周に沿うように配列され前記加熱ベルトを加熱するための磁界発生手段とを備えていることを特徴とするフルカラー画像形成装置。
【請求項２０】
前記加熱ベルトは、変動磁場中で発熱する少なくとも１層の導電層を有し、表面に離型層が形成されているものであることを特徴とする請求項１９のフルカラー画像形成装置。
【請求項２１】
少なくとも前記第２のローラは、変動磁場中で発熱する導電層を表面に有するものであることを特徴とする請求項１９のフルカラー画像形成装置。
【手続補正３】
【補正対象書類名】明細書
【補正対象項目名】００４２
【補正方法】変更
【補正の内容】
【００４２】
この場合、加圧手段で被加熱材を加熱部材に押圧することにより、被加熱材を確実にかつ均一に加熱することができる。  
本発明による誘導加熱装置は、互いに近接して配列された第１のローラおよび第２のローラと、これらのローラに巻き回されて所定の張力が加えられている無端状加熱ベルトと、前記第１のローラに巻きかけられた前記加熱ベルトの部分に圧接してニップ部を形成する加圧手段と、少なくとも前記２つのローラに巻きかけられた前記加熱ベルトの部分の外周に沿うように配列され前記加熱ベルトを加熱するための磁界発生手段とを備えていることを特徴とするものである。 
本発明による誘導加熱装置は、また、互いに近接して配列された第１のローラおよび第２のローラと、これらのローラに巻き回されて所定の張力が加えられている無端状加熱ベルトと、前記第１のローラに巻きかけられた前記加熱ベルトの部分に圧接してニップ部を形成する加圧手段と、前記２つのローラに巻きかけられた前記加熱ベルトの部分とこれらの間の加熱ベルトの部分の外周に沿うように配列され前記加熱ベルトを加熱するための磁界発生手段とを備えていることを特徴とするものである。 
本発明の誘導加熱装置においては、たとえば、前記加熱ベルトは、変動磁場中で発熱する少なくとも１層の導電層を有し、表面に離型層が形成されているものである。 
また、本発明の誘導加熱装置においては、たとえば、前記２つのローラは、変動磁場中で発熱する導電層を表面に有するものである。 
本発明による定着装置は、上記４つの誘導加熱装置のいずれかを備えていることを特徴とするものである。 
本発明による画像形成装置は、上記の定着装置を備えていることを特徴とするものである。 
本発明によるフルカラー画像形成装置は、記録用紙に４色のフルカラートナー可視像を形成する４色の可視像形成ユニットと、前記４色のフルカラートナー可視像を前記記録用紙に定着する定着装置とを備えており、前記定着装置が、互いに近接して配列された第１のローラおよび第２のローラと、これらのローラに巻き回されて所定の張力が加えられている無端状加熱ベルトと、前記第１のローラに巻きかけられた前記加熱ベルトの部分に圧接してニップ部を形成する加圧手段と、少なくとも前記第２のローラに巻きかけられた前記加熱ベルトの部分の外周に沿うように配列され前記加熱ベルトを加熱するための磁界発生手段とを備えていることを特徴とするものである。 
本発明のフルカラー画像形成装置においては、たとえば、前記加熱ベルトは、変動磁場中で発熱する少なくとも１層の導電層を有し、表面に離型層が形成されているものである。 
また、本発明のフルカラー画像形成装置においては、たとえば、少なくとも前記第２のローラは、変動磁場中で発熱する導電層を表面に有するものである。